(57)【要約】【課題】  リーンバーンエンジンの燃焼制御装置において、混合気の燃料濃度が高い領域を検出し、燃料濃度が高い部位に点火エネルギーを引火して燃料を燃焼させることで、内燃機関のリーン限界を改善し燃費の向上および排出ＮＯｘの抑制に寄与する。【解決手段】  測定用レーザ光発射装置１６から測定用レーザ光をシリンダ１内に照射し光センサ１７により光量を測定して、測定用レーザ光の燃料に対する吸収量から混合気中の燃料濃度を検出するとともに、かかる検出結果に応じて集光光学系８および電子光学素子９を制御して着火位置を変化させる。【選択図】  図１
2008002279.tif 000002
【特許請求の範囲】
【請求項１】
レーザ光をシリンダ内に集光して希薄混合気に着火するレーザ着火式内燃機関において、シリンダ内の燃料濃度を測定する濃度測定装置とレーザ光の集光位置を変化させる光学系と制御装置を備え、該制御装置が、該濃度測定装置の測定結果を基に混合気の濃度変化を検出し、該光学系を制御してより燃料濃度が高い領域に前記レーザ光の集光位置を修正することを特徴とするレーザ着火式内燃機関の燃焼制御装置。
【請求項２】
前記濃度測定装置が測定用レーザ光照射装置と受光装置からなり、測定用レーザ光の燃料ガスに対する吸収量から混合気の濃度を測定することを特徴とする請求項１に記載のレーザ着火式内燃機関の燃焼制御装置。
【請求項３】
前記測定用レーザ光が波長約３．４μｍであり、前記濃度測定装置が該測定用レーザ光のＣＨ基に対する吸収量から前記燃料ガスの濃度を測定することを特徴とする請求項２に記載のレーザ着火式内燃機関の燃焼制御装置。
【請求項４】
前記濃度測定装置が測定用レーザ光照射装置と受光装置からなり、測定用レーザ光を燃料ガスに照射することにより該燃料ガスから発せられる蛍光の光量から混合気の濃度を測定することを特徴とする請求項１に記載のレーザ着火式内燃機関の燃焼制御装置。
【請求項５】
前記光学系が、集光レンズと電気光学素子を組み合わせたものであり、集光レンズにバネとピエゾ素子が配されていて、該ピエゾ素子および該電気光学素子に印加する電圧を制御して前記レーザ光の集光位置を制御することを特徴とする請求項１から４のいずれかに記載のレーザ着火式内燃機関の燃焼制御装置。
【請求項６】
さらにノッキング検出機構を備え、該ノッキング検出機構がノッキングを検出したときはノッキングの出現頻度に応じて前記レーザ光の点火のタイミングを調整することを特徴とする請求項１から５のいずれかに記載のレーザ着火式内燃機関の燃焼制御装置。
【請求項７】
前記ノッキング検出機構が光センサおよび演算装置からなり、燃焼時の火炎の光量を測定し、光量信号に含まれる高周波を検出してノッキングの有無を判定することを特徴とする請求項６に記載のレーザ着火式内燃機関の燃焼制御装置。
【請求項８】
光センサおよび演算装置からなり、燃焼時の火炎の発光信号を測定し、該発光信号に含まれる高周波を検出してノッキングの有無を判定することを特徴とするノッキング検出器。
【発明の詳細な説明】
【技術分野】
【０００１】
本発明は、希薄混合気をレーザー光により着火させるレーザー着火式内燃機関の燃焼制御装置に関する。
【背景技術】
【０００２】
ガス燃焼エンジンにおいては、燃費の向上とＮＯｘ発生量の抑制のために、混合気の燃料混合比率を低下させ、燃料ガスをより希薄にして豊富な空気の中で燃焼させる要求がある。しかし、希薄混合気は着火性が悪く、失火や異常燃焼が起こるため、燃料の希薄化に限度があった。
【０００３】
そこで、ピストンヘッドや燃料の導入方向等を工夫してエンジンシリンダ内に局所的に混合気の濃度が高い部分を作り、燃料がリッチな部位に点火をすることで、リーンバーンエンジンの利点を保持しながら着火性能を確保する技術が検討されている。
【０００４】
たとえば特許文献１には、図５に示すような燃焼制御装置が開示されている。吸気ポートは終端部がシリンダの周方向に開口しており、吸気ポートからシリンダ内に流入した混合気がシリンダ周方向の横渦すなわちスワールを形成するように配置されている。吸気ポートの上流には燃料噴射弁が設けられていて、吸気ポートに導入される空気に燃料ガスを添加している。
【０００５】
吸気ポートからシリンダ内に流入した混合気は、シリンダ上部で強いスワールを形成し、環状に燃料リッチな領域を形成する。本開示発明では、この燃料リッチな部位に着火することでリーンバーン時の着火性能を確保している。
【０００６】
このように、特許文献１に記載された開示発明では、吸気ポートの形状や開口方向を工夫してより燃料濃度が濃い領域を形成し、かかる領域に点火エネルギーを印加することでリーンバーン時の点火性能を確保している。
【０００７】
しかし、本開示発明では、シリンダ内の実際の燃料分布を検出する手段および点火位置を移動させる手段を持たないため、エンジン起動から定格運転への移行など、シリンダ内の諸条件の変化によって燃料リッチな領域が移動しても、常に同じ位置に点火エネルギーを印加している。従って、燃焼条件の変化に対応できるよう点火エネルギー量や燃料濃度にマージンを持たせなければならず、効率化に限界があった。
【特許文献１】特開平０５−３０２５６１号公報
【発明の開示】
【発明が解決しようとする課題】
【０００８】
本発明が解決しようとする課題は、リーンバーンエンジンの燃焼制御装置において、混合気の燃料濃度が高い領域を検出し、燃料濃度が高い部位に点火エネルギーを引火して燃料を燃焼させることで、内燃機関のリーン限界を改善し燃費の向上および排出ＮＯｘの抑制に寄与することである。
【課題を解決するための手段】
【０００９】
上記課題を解決するため、本発明のレーザ着火式内燃機関の燃焼制御装置は、レーザ光をシリンダ内に集光して希薄混合気に着火するレーザ着火式内燃機関において、シリンダ内の燃料濃度を測定する濃度測定装置とレーザ光の集光位置を変化させる光学系と制御装置を備え、制御装置が濃度測定装置の測定結果を基に混合気の濃度変化を検出し、光学系を制御してより燃料濃度が高い領域にレーザ光の集光位置を修正することを特徴とする。
【００１０】
本発明のレーザ着火式内燃機関の燃焼制御装置は、シリンダ内の混合気に含まれる燃料濃度を測定して濃度変化を検出し、より燃料濃度が高い位置にレーザ光が集光するよう制御する。そのため、全体の空燃比が非常にリーンである場合でも、高い着火性を得られる領域に点火エネルギーを印加して確実に着火させることができる。
【００１１】
また、シリンダ内では、例えばエンジン起動時から定格運転時にかけての温度条件や回転数の変化などによりシリンダ内の燃料濃度分布が常に変化している。定格運転時でも、毎回の燃焼において燃料濃度が高い領域が多少遷移している。本発明のレーザ着火式内燃機関の燃焼制御装置は、随時燃料濃度の変化を検出し、高濃度領域の移動に追随して常に最適な位置に点火エネルギを印加することができる。
【００１２】
したがって、本発明のレーザ着火式内燃機関の燃焼制御装置をレーザー着火式リーンバーンエンジンに採用すれば、燃料がリーンな場合でも高い着火性能を確保できるため、混合気のリーン限界を改善することができる。さらに、燃焼条件が変化しても、条件変化に対応して常に高い着火性能を引き出すことができるため、燃料濃度に持たせるマージン幅を圧縮することができる。
【００１３】
本発明のレーザ着火式内燃機関の燃焼制御装置に備える濃度測定装置は、例えば測定用レーザ光照射装置と受光装置で形成し、レーザ光の燃料ガスに対する吸収量を測定して混合気の濃度を検出することができる。この場合、例えばレーザ光の波長を約３．４μｍとすれば燃料ガスに含まれるＣＨ基に対するレーザ光の吸収量を検出することで燃料ガス濃度を測定することができる
【００１４】
また、レーザ誘起蛍光法を利用して燃料濃度を検出してもよい。例えば、燃料ガスにトレーサとしてトルエンなどを少量混入し、紫外線レーザを燃料ガスに照射してトレーサから発せられる蛍光を受光装置で検出することで燃料濃度を測定することができる。
【００１５】
本発明のレーザ着火式内燃機関の燃焼制御装置に備える光学系は、集光レンズと電気光学素子を組み合わせて形成し、集光レンズにバネとピエゾ素子を配して構成することができる。
【００１６】
多段レンズで形成された集光レンズのうち１枚のレンズの両面をピエゾ素子とバネとで挟持し、ピエゾ素子でピエゾ素子に印加する電圧を調整することでレンズの位置を制御する。レンズの位置を制御することで、集光レンズ系の焦点距離を変化させ、レーザ光の光軸上での集光位置を自由に設定できる。
【００１７】
さらに、集光レンズ系の下流に電気光学素子を配し、電気光学素子によりレーザ光を屈曲させることで、集光レンズ系の光軸に対して直交方向の集光位置を変更することができる。
したがって、ピエゾ素子と電気光学素子をそれぞれ制御することで、シリンダ内の自由な位置にレーザ光を集光させ、点火位置を制御することができる。
【００１８】
本発明のレーザ着火式内燃機関の燃焼制御装置は、さらにノッキング検出機構を備え、ノッキングが検出された際はノッキングの出現頻度に応じてレーザ光の点火タイミングを調整するようにしてもよい。
【００１９】
ノッキング検出機構は、従来一般に使用されている筒内圧計測法や振動計測法、イオン電流計測法を利用することができる。しかし、燃焼時の発光信号を測定することで非常に高感度でノッキングを検出することができる。
【００２０】
筒内圧力計測法、振動計測法、イオン電流計測法では、ノッキング時に各計測信号に重畳するノッキング高周波を利用してノッキングの有無を判別している。しかし、発明者の研究により、燃焼時の発光信号にも同様にノッキング高周波が重畳しており、従来利用していた指標信号より遙かに鮮明にノッキング高周波が現れていることがわかった。
【００２１】
そこで、本発明のレーザ着火式内燃機関の燃焼制御装置に備えるノッキング検出機構は、光センサおよび演算装置から構成し、燃焼時の火炎の光量を測定し、光量信号に含まれる高周波を検出してノッキングの有無を判定する。この構成のノッキング検出機構によれば、従来法に比べ、より微細なノッキングを高感度で正確に検出できる。
【００２２】
ノッキング検出機構によりノッキングを検出した際は、検出信号に基づき、またノッキングの発生頻度やタイミング等を過去の集積データと比較して、レーザ点火のタイミングを調整したり、点火位置を調整する。
【００２３】
本発明のレーザ着火式内燃機関の燃焼制御装置はノッキングや失火などの異常燃焼を発生させないように点火位置を制御しているが、ノッキング検出装置によりノッキングが検出された場合には、点火タイミングを修正し、より安定的に正常燃焼を継続できるよう制御を行う。
【００２４】
以上のように、本発明のレーザ着火式内燃機関の燃焼制御装置によれば、シリンダ内の燃料濃度を測定し、混合気の燃料濃度がより高い領域に点火エネルギーを印加するため、混合気がリーンな場合でも高い着火性能を確保することができる。したがって、内燃機関に本発明のレーザ着火式内燃機関の燃焼制御装置を適用すれば、リーンバーンエンジンのリーン限界を改善し、燃費の向上および排出ＮＯｘの抑制に寄与することができる。
さらに、本発明のレーザ着火式内燃機関の燃焼制御装置にノッキング検出機構を備えれば、燃焼制御をさらに安定させ、異常燃焼を抑制することができる。
【発明を実施するための最良の形態】
【００２５】
以下、図面を用いて、本発明のレーザ着火式内燃機関の燃焼制御装置を詳細に説明する。
【実施例１】
【００２６】
図１は本発明の１実施例におけるレーザ着火式内燃機関の燃焼制御装置の概念図である。シリンダ１にピストン２が挿入されており、ピストン２にはピストンロッド３が接続されている。シリンダヘッド４には吸気ポート５が設置されている。
【００２７】
シリンダヘッド４の中心部には光学窓６が設けられており、光学窓６の上方には電気光学素子７、集光光学系８、レーザ発射装置９が順に備わっている。さらにシリンダヘッド４には光ファイバ１０が埋設されている。光ファイバ１０の一端はシリンダ内に達しており、他端は光電子増倍管１１に接続している。光電子増倍管１１は図示しない演算装置に電子信号を伝達するようになっている。
【００２８】
シリンダ１の側壁には図中、左右対照する位置にそれぞれ３カ所の光学窓１２、１３が開口している。図中左側の光学窓１２にはコリメートレンズ１４を介して光ファイバケーブル１５が端接しており、光ファイバケーブル１５の他端には測定用レーザ光発射装置１６が接続されている。図中右側の光学窓１３の外側には光センサ１７が配されている。光センサ１７は図示しない演算装置に電子信号を伝達するようになっている。
【００２９】
本実施例のレーザ着火式内燃機関の燃焼制御装置は、かかる構成によりシリンダ内の燃料濃度を測定して高濃度領域を検出し、該当領域に点火エネルギを集中して混合気に着火を行う。また、光電子倍増管１１によりノッキングの有無を判定し、ノッキング発生時には適切な位置にレーザ光の集光位置を修正する。
レーザ集光位置の制御方法、燃料濃度の測定方法、ノッキングの検出方法を以下、順に説明する。
【００３０】
図２は電子光学素子７、集光光学系８、レーザ発射装置９の構成を概念的に示した構成図である。レーザ発射装置９から発せられたレーザ光は集光光学系８、電子光学素子７、光学窓６を順に通過し、シリンダ１内に集光する。
【００３１】
集光光学系８は上流側から順にコリメートレンズ２１、第１集光レンズ２２、第２集光レンズ２３で形成されている。第１集光レンズ２２はピエゾ素子２４とバネ２５に挟まれて保持されており、ピエゾ素子２４とバネ２５は支持部２６に係支されている。ピエゾ素子２４は印加電圧に応じて体積が増減する性質を持っている。ピエゾ素子２４に印加する電圧を増加させるとピエゾ素子２４が膨張し、それに伴い第１集光レンズ２２が図中左に移動する。反対にピエゾ素子２４に印加する電圧を減少させるとピエゾ素子２４が収縮し、バネ２５に押されて第１集光レンズ２２が図中右に移動する。
【００３２】
電子光学素子７は入信する制御信号により入射光の射出方向を変化させられるように構成されている。
レーザ発射装置９から発射されたレーザ光は空気中もしくは光ファイバを介してコリメートレンズ２１に入射する。コリメートレンズ２１で平行光線に整えられた後、第１集光レンズ２２、第２集光レンズ２３によりある焦点距離を持たされ、電子光学素子７へと射出される。
【００３３】
レーザ光の焦点距離は、第１集光レンズ２２と第２集光レンズ２３との距離により決められる。第１集光レンズ２２がピエゾ素子２４に印加する電圧に応じて光軸方向に摺動するよう形成されているため、レーザ光の焦点距離もピエゾ素子２４に印加する電圧により自由に設定できるようになっている。
【００３４】
第２集光レンズ２３から射出した収束レーザ光は、電子光学素子７により目的の方向に屈曲させられた後、光学窓６を透過してその屈曲方向と焦点距離に応じてシリンダ１内に集光する。
【００３５】
したがって、ピエゾ素子２４に印加する電圧および電子光学素子７に入信する制御信号を制御することによって、光学軸の屈曲方向と焦点距離を操作し、レーザ光集光位置の制御を実現している。
【００３６】
図３はシリンダ１に配された濃度測定装置の構成を示す透視図である。シリンダ１外に設置された測定レーザ光発射装置１６に光ファイバケーブル１５が接続されており、光ファイバケーブル１５中の６本の光ファイバはそれぞれシリンダ１に達している。６本の光ファイバのうち３本は、一定の間隔でピストン２の運動軸に平行に列設された光学窓１２に連結している。残る３本は一定の間隔でピストン２の運動軸に垂直に列設された光学窓１２に連結している。光ファイバと光学窓１２の間にはコリメートレンズ１４が挿入されている。
【００３７】
６個の光学窓１２に対してそれぞれ軸対称となる位置にさらに６個の光学窓１３が開口しており、光学窓１３の外側には光センサ１７が配されている。光センサ１７は演算装置１８に信号を伝送するよう接続されている。
【００３８】
測定レーザ光発射装置１６から発射されたレーザ光は光ファイバケーブル１５内の６本の光ファイバにより伝送されて、それぞれコリメートレンズ１４により平行光線に整えられた後、光学窓１２を介してシリンダ１に照射される。さらに、シリンダ１内に充満する混合気を透過して、光学窓１３を介して光センサ１７に到達する。光センサ１７は、受光したレーザ光の光量を電気信号に変換し、演算装置１８に伝達する。
【００３９】
測定レーザ光発射装置１６から発射するレーザ光を燃料ガスに含まれる特定の成分の特性周波数に対応する特定の単波長光にすれば、レーザ光は燃料ガスの濃度に応じて特異的に吸収される。したがって、燃料ガスに含まれる代表的な成分に対して吸収特性を持つ単波長レーザを光学窓１２からシリンダ内に導入して混合気中を通過させ、吸収されずに透過したレーザ光の光量を測定すれば、混合気中の燃料濃度を測定することができる。例えば、約３．４μｍのレーザ光を利用すると、レーザ光はＣＨ基に吸収されるため、一般的な燃料ガスに広く用いることができる。
【００４０】
本実施例では、約３．４μｍのレーザ光を測定用レーザ発射装置１６から照射し、光センサ１７でその光量を測定することで、シリンダ１内の燃料濃度を検出する。なお、レーザ光の導入口である光学窓１３と光センサ１７は、水平、垂直に３個ずつ配置されている。演算装置では、水平に配された光センサ１７での測定結果と垂直に配された光センサ１７の測定結果を演算装置１８によりそれぞれ解析し、累積データ等と比較演算を行って燃料濃度が高い位置を算出する。
【００４１】
この結果に基づき、最も効率よく混合気を燃焼させることができる点火位置を決定し、すでに説明したとおりの方法でレーザ光をかかる点火位置に集光させて着火を行う。さらに、燃焼サイクルの特定のタイミングで燃料濃度の測定を毎回行い、燃料ガスが高濃度で含まれる領域を監視して、高濃度領域の移動に追随して常に最適の位置に燃焼エネルギを印加する。
【００４２】
したがって、本実施例のレーザ着火式内燃機関の燃焼制御装置によれば、リーンな混合気を燃焼させる場合でも、燃料濃度の分布を測定して燃料が高濃度で含まれる領域にレーザ光を集光し、確実に混合気に着火させることができる
。
【００４３】
さらに、本実施例のレーザ着火式内燃機関の燃焼制御装置はノッキング検出機構を備えている。
【００４４】
図１において、シリンダヘッド４に光ファイバ１０が埋設されており、一端がシリンダ１に達し、他端は光電子増倍管１１に接続されている。光電子増倍管１１は光ファイバ１０に伝送された光を電子に変換し、その光量に比例した電流を演算装置伝達する。したがって、シリンダ１内の燃焼による発せられる光量を演算装置が常に監視することができる。なお、光電子増倍管の代りに、フォトダイオードやフォトトランジスタなどの半導体センサを用いても良い。
【００４５】
シリンダ１内で異常燃焼によるノッキングが生じた場合は、燃焼により発生する火炎の光量が筒内のノッキング現象に基づいて変化し、光電子増倍管１１から伝達される受光信号に特徴的な一定の高周波信号が重畳する。この高周波信号を検出することでノッキングの有無を判定する。
【００４６】
図４はノッキング発生時の発光信号の変化を表すグラフである。ノッキング発生時のグラフには、正常燃焼時のグラフに現れない受光信号のゆれが高周波信号となって明確に現れている。この受光信号の高周波を検出することでノッキングの有無を判定することができる。
【００４７】
演算装置がノッキングを検出したら、検出信号に基づいて、あるいは高周波信号の発生頻度やパターンを蓄積データと比較して、点火のタイミングを調整して安定的に燃焼を継続させることができる。
【実施例２】
【００４８】
図５は本発明の第２の実施例におけるレーザ着火式内燃機関の燃焼制御装置の燃料濃度測定機構を説明する概略図である。燃料濃度の測定方法以外については第１実施例と同様であるため図示および説明を省略する。
【００４９】
シリンダ４１の側壁に光学窓４２がスリット状に設けられており、光学窓４２から中心角で約９０度離れた位置に光学窓４３を介して撮像装置４４が設けられている。撮像装置４４には、ビジコンやICCDカメラなどを用いる。光学窓４２の外側には測定用レーザ発射装置４５およびシリンドリカルレンズ４６とコリメートレンズ４７が配されている。コリメートレンズ４７は、フレネルレンズなど薄型レンズであることが好ましい。
【００５０】
測定用レーザ発射装置４５から発せられた測定用レーザ光は、シリンドリカルレンズ４６とコリメートレンズ４７によりシート状に拡幅されて光学窓４２からシリンダ１内に入射する。撮像装置４４はシート状のレーザ光が照射される領域をほぼ垂直の方向から撮影し、図示しない演算装置に画像情報を伝送する。
【００５１】
本実施例のレーザ着火式内燃機関の燃焼制御装置は、レーザ励起蛍光法を利用して燃料濃度を測定する。レーザ励起蛍光法では、特定レーザ光に励起されて蛍光を発する物質をトレーサして燃料に混合しておき、燃料にレーザ光を照射し蛍光を観察して燃料濃度を算出する。なお、燃料中に特定のレーザ光を照射することで蛍光を発する物質が含まれている場合は、トレーサを混合する必要がない。
【００５２】
本実施例では、トレーサとして少量のトルエンを燃料に混合する。トルエンを含む燃料ガスがシリンダ１に充填されていると、シリンダ１内に照射したレーザー光をトルエンが吸収し、蛍光を発する。発生される蛍光の光量は存在するトルエンの量すなわち燃料濃度と相関を持つため、発生した蛍光を撮像装置４４で撮影し、画像情報を分析することでレーザー光シート上の燃料濃度分布を測定することができる。
【００５３】
したがって、測定した濃度分布を基に、最も確実に混合気を燃焼させることができる位置に点火エネルギを印加すれば、リーンな混合ガスを燃焼させる場合でも高い着火性能を得ることができる。
【００５４】
なお、本実施例ではレーザ光を１面のシートとして照射したが、シート状のレーザ光に直交するようにもう１面のレーザ光を追加すると、燃料の３次元分布を得ることができるため、さらに正確に高濃度領域を特定することができ、着火の確実性を向上させることができる。
【００５５】
以上詳細に説明したとおり、本実施例のレーザ着火式内燃機関の燃焼制御装置によれば、シリンダ内の燃料分布を解析し、燃料がより高濃度の領域に点火エネルギを印加することができるため、希薄混合気にも確実に着火することができる。さらに、燃料濃度が高い領域が移動しても、濃度分布の遷移に追随して点火位置を変更し、常に高い着火性能を確保することができる。したがって、リーンバーンエンジンのリーン限界を改善できるうえ、燃焼条件に備えて燃料濃度に持たせるマージン幅を圧縮することができるため、燃費の向上および排出ＮＯｘの抑制に大きく寄与することができる。
【図面の簡単な説明】
【００５６】
【図１】本発明の第１実施例におけるレーザ着火式内燃機関の燃焼制御装置の概略断面図である。
【図２】第１実施例における測定用レーザ光学系を説明する概念図である。
【図３】第１実施例における燃料濃度測定装置を説明する概念図である。
【図４】ノッキング発生時の発光信号の変化を表すグラフである。
【図５】本発明の第２実施例における燃料濃度測定装置を説明する概念図である。
【図６】従来の燃焼制御装置の概略図である。
【符号の説明】
【００５７】
１、４１  シリンダ
２  ピストン
３  ピストンロッド
４  シリンダヘッド
５  吸気バルブ
６、１２、１３、４２、４３  光学窓
７  電子光学素子
８  集光光学系
９  レーザ発射装置
１０  光ファイバ
１１  光電子増倍管
１４、２１、４７  コリメートレンズ
１５  光ファイバケーブル
１６、４５  測定用レーザ光照射装置
１７  光センサ
１８  演算装置
２２  第１集光レンズ
２３  ピエゾ素子
２４  バネ
２５  第２集光レンズ
２６  支持部
４４  撮像装置
４６  シリンドリカルレンズ
【図１】
2008002279.tif 000003
【図２】
2008002279.tif 000004
【図３】
2008002279.tif 000005
【図４】
2008002279.tif 000006
【図５】
2008002279.tif 000007
【図６】
2008002279.tif 000008
【手続補正書】
【提出日】平成18年6月20日(2006.6.20)
【手続補正２】
【補正対象書類名】明細書
【補正対象項目名】０００１
【補正方法】変更
【補正の内容】
【０００１】
本発明は、希薄混合気をレーザ光により着火させるレーザ着火式内燃機関の燃焼制御装置に関する。
【手続補正３】
【補正対象書類名】明細書
【補正対象項目名】００５２
【補正方法】変更
【補正の内容】
【００５２】
本実施例では、トレーサとして少量のトルエンを燃料に混合する。トルエンを含む燃料ガスがシリンダ１に充填されていると、シリンダ１内に照射したレーザ光をトルエンが吸収し、蛍光を発する。発生される蛍光の光量は存在するトルエンの量すなわち燃料濃度と相関を持つため、発生した蛍光を撮像装置４４で撮影し、画像情報を分析することでレーザ光シート上の燃料濃度分布を測定することができる。